(57)【要約】【課題】筐体のデザイン性を保持しつつ、ネジ隠し部材の共通化を図ることが可能であり、かつネジ隠し部材の挿入位置を間違わないようにすること。【解決手段】筐体には、ネジを挿入するためのネジ用穴２５および第１のネジ隠し穴２６ａ，ｂ、並びにネジ用穴２５および第２のネジ隠し穴２７ａ，ｂが設けられ、第１のネジ隠し穴にはネジ４１が挿入された後で第１のネジ隠し部材４２が挿入され、第２のネジ隠し穴にはネジ４１が挿入された後で第２のネジ隠し部材４３が挿入され、第１のネジ隠し部材には、その内側の端面に第１の凸部２０４が設けられ、第１の凸部が第１のネジ隠し穴に設けられた第１の凹部２４２に嵌まり込み、第２のネジ隠し部材には、その内側の端面に第２の凹部２２４が設けられ、第２の凹部に第２のネジ隠し穴に設けられた第２の凸部２６２が嵌まり込む。【選択図】  図７
2010187313.tif 000002
【特許請求の範囲】
【請求項１】
筐体の外面側から挿入される複数のネジのネジ隠し装置において、
前記筐体には、前記複数のネジのうちの一部のネジを挿入するための第１のネジ用穴および前記第１のネジ用穴に続く第１のネジ隠し穴、並びに前記複数のネジのうちの他の一部のネジを挿入するための第２のネジ用穴および前記第２のネジ用穴に続く第２のネジ隠し穴が設けられ、
前記第１のネジ隠し穴には前記ネジが挿入された後で第１のネジ隠し部材が挿入されており、
前記第２のネジ隠し穴には前記ネジが挿入された後で第２のネジ隠し部材が挿入されており、
前記第１のネジ隠し部材には、その内側の端面に第１の凸部が設けられ、前記第１の凸部が前記第１のネジ隠し穴に設けられた第１の凹部に嵌まり込むことにより、前記第１のネジ隠し部材が正規の位置に挿入されており、
前記第２のネジ隠し部材には、その内側の端面に第２の凹部が設けられ、前記第２の凹部に前記第２のネジ隠し穴に設けられた第２の凸部が嵌まり込むことにより、前記第２のネジ隠し部材が正規の位置に挿入されている、
筐体におけるネジ隠し装置。
【請求項２】
前記第１のネジ隠し部材には、その内側の端面に、第１の位置決め凹部が設けられ、前記第１の位置決め凹部に前記第１のネジ隠し穴に設けられた第１の位置決め凸部が嵌まり込んでおり、
前記第２のネジ隠し部材には、その内側の端面に、第２の位置決め凹部が設けられ、前記第２の位置決め凹部に前記第２のネジ隠し穴に設けられた第２の位置決め凸部が嵌まり込んでいる、
請求項１記載の筐体におけるネジ隠し装置。
【請求項３】
前記第１のネジ隠し部材および前記第２のネジ隠し部材は、いずれも略円柱状でありかつ直径が互いにほぼ等しいが、それぞれの外側の端面の曲面形状が互いに異なっている、
請求項２記載の筐体におけるネジ隠し装置。
【請求項４】
前記筐体は、その正面視が略矩形であるがその四隅の表面は滑らかな曲面形状に形成され、かつその表面形状はその長手方向に沿って延びる中心線に対して左右対称形状となっており、
前記第１のネジ隠し穴は、前記筐体の一方の短辺側において２つの隅部に左右対称位置に設けられ、
前記第２のネジ隠し穴は、前記筐体の他方の短辺側において２つの隅部に左右対称位置に設けられ、
前記筐体の前記第１のネジ隠し穴の部分における曲面形状と前記第２のネジ隠し穴の部分における曲面形状とは互いに異なっており、
２つの前記第１のネジ隠し穴には２つの前記第１のネジ隠し部材が挿入され、
２つの前記第２のネジ隠し穴には２つの前記第２のネジ隠し部材が挿入されている、
請求項３記載の筐体におけるネジ隠し装置。
【請求項５】
２つの前記第１のネジ隠し部材は、互いに左右対称となる姿勢で２つの前記第１のネジ隠し穴に挿入されており、
２つの前記第２のネジ隠し部材は、互いに左右対称となる姿勢で２つの前記第２のネジ隠し穴に挿入されている、
請求項４記載の筐体におけるネジ隠し装置。
【請求項６】
第１のケ−スの外面側から挿入された複数のネジを第２のケースに設けた複数のネジ穴に螺合させることによって結合される筐体を有した携帯電話機において、
前記第１のケ−スには、前記複数のネジのうちの一部のネジを挿入するための第１のネジ用穴および前記第１のネジ用穴に続く第１のネジ隠し穴、並びに前記複数のネジのうちの他の一部のネジを挿入するための第２のネジ用穴および前記第２のネジ用穴に続く第２のネジ隠し穴が設けられ、
前記第１のネジ隠し穴には前記ネジが挿入された後で第１のネジ隠し部材が挿入されており、
前記第２のネジ隠し穴には前記ネジが挿入された後で第２のネジ隠し部材が挿入されており、
前記第１のネジ隠し部材には、その内側の端面に第１の凸部が設けられ、前記第１の凸部が前記第１のネジ隠し穴に設けられた第１の凹部に嵌まり込むことにより、前記第１のネジ隠し部材が正規の位置に位置合わせされており、
前記第２のネジ隠し部材には、その内側の端面に第２の凹部が設けられ、前記第２の凹部に前記第２のネジ隠し穴に設けられた第２の凸部が嵌まり込むことにより、前記第２のネジ隠し部材が正規の位置に位置合わせされている、
携帯電話機。
【請求項７】
筐体の外面側から挿入される複数のネジのためのネジ隠し装置に用いられるネジ隠し部材において、
第１のネジ隠し部材および第２のネジ隠し部材を有し、
前記第１のネジ隠し部材および前記第２のネジ隠し部材は、いずれも略円柱状でありかつ直径が互いにほぼ等しいが、それぞれの外側の端面の曲面形状が互いに異なっており、
前記第１のネジ隠し部材には、その内側の端面に、当該第１のネジ隠し部材を正規の位置に位置合わせするための第１の凸部および第１の位置決め凹部が設けられ、
前記第２のネジ隠し部材には、その内側の端面に、当該第２のネジ隠し部材を正規の位置に位置合わせするための第２の凹部および第２の位置決め凹部が設けられてなる、
ネジ隠し部材。
【発明の詳細な説明】
【技術分野】
【０００１】
本発明は、筐体におけるネジ隠し装置、ネジ隠し部材、および２つのケースが複数のネジによって結合される筐体を有した携帯電話機に関する。
【背景技術】
【０００２】
従来より、携帯電話機などの電子機器において、フロント側のケ−スとリア側のケ−スとをネジで結合することにより筐体を構成することがしばしば行われる。その場合に、ネジの頭部が外部に露出したままの状態では見栄えがよくなく、またユーザがネジを外してしまう可能性があるので、ネジの頭部の上から遮蔽部材を埋め込んで隠すことが行われている。
【０００３】
例えば、携帯電話機の筐体の表面に設けた凹部において、凹部に設けた複数の孔に複数のネジを挿入して締めつけるととともに、ネジ隠蔽用蓋を凹部に被せかつ凹部に設けた係合部に係合させることによって着脱可能に取り付けることが提案されている（特許文献１）。
【０００４】
また、携帯電話機の筐体に設けられたネジ挿通孔にネジを嵌入して締めつけるとともに、そのネジの頭部を覆う盲キャップを、筐体の外表面から突出するように設けることが提案されている。盲キャップが筐体の外表面から突出することにより、筐体を平坦面上に置いたときアンテナが平坦面上から離間する（特許文献２）。
【０００５】
また、凹部内に挿入したネジで上ケースを固定した後、凹部に目隠しキャップを挿入する。目隠しキャップの下部に斜め切欠部を設け、上ケースに横方向の穴を設けることが提案されている。穴からスティックを挿入して斜め切欠部を押し上げることにより、目隠しキャップの取り外しを容易にする（特許文献３）。
【先行技術文献】
【特許文献】
【０００６】
【特許文献１】特開平２００２−３３３１５０
【特許文献２】特開平２００２−１８５５９０
【特許文献３】特開平２００１−２４７６３
【発明の概要】
【発明が解決しようとする課題】
【０００７】
しかし、上に述べた特許文献１の装置では、複数のネジに対して１つのネジ隠蔽用蓋を適用するものであり、ネジ隠蔽用蓋に係合部を設けるなど、その構造が複雑であり、余計なスペースを必要とするため小型化に向かない。
【０００８】
また、特許文献２の装置では、４つの盲キャップのうちの２つについて、筐体の外表面から突出するように形成されるので、筐体の表面形状の設計の自由度が制約されることとなり、デザイン的な面で難点が残る。また、４つの盲キャップについて、形状は異なるものの、筐体のネジ挿通孔に挿入したときの位置合わせのための構造が設けられていないので、組み立て時における挿入間違いなどが生じる可能性がある。
【０００９】
また、特許文献３の装置では、４つの目隠しキャップを同じ形状として共通に用いるため、筐体の表面が平面状である場合などのようにその適用範囲が限られる。つまり、筐体の表面を自由な曲面形状としたい場合には目隠しキャップを共通に用いることができなくなり、したがってそれらの挿入位置を間違わないようにするための構造が必要となる。
【００１０】
近年において、携帯電話機はデザイン性が優先され、複雑な曲面形状を持つ筐体が好まれている。ネジおよびネジ隠し部材についても、そのような筐体に合わせる必要があるため、部品の単純化および共通化が難しくなっており、１つ１つのネジに合わせた別形状の部品を使用することが多くなっている。しかし、部品コストの面と部品管理の容易さの面を考慮すると、できるだけ部品の共通化を図ることが好ましい。
【００１１】
また、部品の共通化を図った場合に、組み立ての際に部品の挿入位置または挿入姿勢などを間違えないような構造とし、または間違えた場合にそれが分かる構造としておく必要がある。
【００１２】
本発明は、上述の問題に鑑みてなされたもので、筐体のデザイン性を保持しつつ、ネジ隠し部材の共通化を図ることが可能であり、かつネジ隠し部材の挿入位置を間違わないようにすることを可能とすることを目的とする。
【課題を解決するための手段】
【００１３】
本実施形態に係る装置は、筐体の外面側から挿入される複数のネジのネジ隠し装置において、前記筐体には、前記複数のネジのうちの一部のネジを挿入するための第１のネジ用穴および前記第１のネジ用穴に続く第１のネジ隠し穴、並びに前記複数のネジのうちの他の一部のネジを挿入するための第２のネジ用穴および前記第２のネジ用穴に続く第２のネジ隠し穴が設けられ、前記第１のネジ隠し穴には前記ネジが挿入された後で第１のネジ隠し部材が挿入されており、前記第２のネジ隠し穴には前記ネジが挿入された後で第２のネジ隠し部材が挿入されており、前記第１のネジ隠し部材には、その内側の端面に第１の凸部が設けられ、前記第１の凸部が前記第１のネジ隠し穴に設けられた第１の凹部に嵌まり込むことにより、前記第１のネジ隠し部材が正規の位置に挿入されており、前記第２のネジ隠し部材には、その内側の端面に第２の凹部が設けられ、前記第２の凹部に前記第２のネジ隠し穴に設けられた第２の凸部が嵌まり込むことにより、前記第２のネジ隠し部材が正規の位置に挿入される。
【００１４】
好ましくは、前記第１のネジ隠し部材には、その内側の端面に、第１の位置決め凹部が設けられ、前記第１の位置決め凹部に前記第１のネジ隠し穴に設けられた第１の位置決め凸部が嵌まり込んでおり、前記第２のネジ隠し部材には、その内側の端面に、第２の位置決め凹部が設けられ、前記第２の位置決め凹部に前記第２のネジ隠し穴に設けられた第２の位置決め凸部が嵌まり込んでいる。
【発明の効果】
【００１５】
本発明によると、筐体のデザイン性を保持しつつ、ネジ隠し部材の共通化を図ることが可能であり、かつネジ隠し部材の挿入位置を間違わないようにすることを可能とすることができる。
【図面の簡単な説明】
【００１６】
【図１】本発明の一実施形態に係る携帯電話機の外観を示す正面図である。
【図２】携帯電話機の受話器側のフロントケース側から見た分解斜視図である。
【図３】携帯電話機の送話器側のフロントケース側から見た分解斜視図である。
【図４】携帯電話機の送話器側の背面図である。
【図５】リヤケ−スに設けられた第１のネジ隠し穴ネジ孔を拡大して示す図である。
【図６】リヤケ−スに設けられた第２のネジ隠し穴ネジ孔を拡大して示す図である。
【図７】ネジ隠し装置の断面図である。
【図８】第１のネジ隠し部材の斜視図である。
【図９】第２のネジ隠し部材の斜視図である。
【図１０】第１のネジ隠し部材の正面図、平面図、および左側面図である。
【図１１】第１のネジ隠し部材の右側面図である。
【図１２】第２のネジ隠し部材の正面図、平面図、および左側面図である。
【図１３】第２のネジ隠し部材の右側面図である。
【図１４】リヤケ−スにおける第１および第２のネジ隠し部材の姿勢を示す図である。
【図１５】リヤケ−スにおける第１および第２のネジ隠し部材の姿勢を示す図である。
【図１６】図１４における右上の第１のネジ隠し部材を拡大して示す図である。
【図１７】図１５（Ａ）における右上の第１のネジ隠し部材を拡大して示す図である。
【図１８】図１４における左下の第２のネジ隠し部材を拡大して示す図である。
【図１９】図１５（Ｂ）における左下の第２のネジ隠し部材を拡大して示す図である。
【発明を実施するための形態】
【００１７】
〔携帯電話機の全体形状の説明〕
図１ないし図４において、本実施形態の携帯電話機１は、送話器側（固定側）ＳＧと受話器側（可動側）ＪＧとがヒンジＨＪによって回動可能に連結された折り畳み式のものである。送話器側ＳＧの筐体ＫＴＳは、表面に操作部ＳＢが設けられたフロントケース１１、および、フロントケース１１の裏面側に接して配置されたリアケ−ス１２からなる。フロントケース１１およびリアケ−ス１２は、それぞれポリカーボネートまたはＡＢＳ樹脂などの合成樹脂の成形（モールディング）によって製作される。なお、受話器側ＪＧのフロントケース５１およびリアケ−ス５２も同様に樹脂成形によって製作される。
【００１８】
操作部ＳＢには、電話番号やその他の情報を入力するための種々の操作ボタン２０が、フロントケース１１に設けられた穴から表面（前面）に突出する状態で配列されており、操作ボタンを押すことによって後述するプリント基板３１に設けられた接点やセンサなどがそれを検知するように構成されている。
【００１９】
また、リアケ−ス１２の内部には電池収納部ＲＤが設けられ、その表面は着脱が可能な電池蓋２４となっている。フロントケース１１とリアケ−ス１２とは、リアケ−ス１２の側から挿入されてネジ込まれた４つのネジ４１，４１…によって一体化されている。ネジ４１，４１…を締めつけた後には、ネジ隠し部材４２，４２、４３，４３が挿入され、リアケ−ス１２の表面が滑らかに仕上がっている。
【００２０】
図３に示されるように、送話器側ＳＧの筐体ＫＴＳの内部には、テンキーパッドＢＳ１、ドームシートＢＳ２、プリント基板３１、フレキシブルケーブルＢＳ３、ヒンジフレキＢＳ４、固定フレームＢＳ５、ＳＩＭトレイＢＳ６、サブ基板ＢＳ７、導音部材３４および粘着テープ３５ａなどの部品ＢＳ８、および部品ＢＳ９などが組み込まれている。
【００２１】
図１に戻って、受話器側ＪＧの筐体ＫＴＪは、フロントケース５１、およびフロントケース５１の裏面側に接して配置されたリアケ−ス５２（図２参照）からなる。フロントケース５１の表面には、カラーＬＣＤからなるメインディスプレイ６１が設けられ、その上方に内部の受話用スピーカの発する音声を外部に伝えるための受話口パッド６３が設けられる。
【００２２】
図２に示されるように、受話器側ＪＧの筐体ＫＴＪの内部には、受話用シート６５、ワンタッチキ−ＢＪ３、ワンタッチフレキモジュールＢＪ４、ワンタッチテ−プＢＪ５、ＬＣＤ保護パネルＢＪ６、ＬＣＤ用パッキンＢＪ７、受話用スピ−カ６６、カメラ６７、ホルダ６８、メインディスプレイ６１、サブディスプレイＢＳ９、プリント基板６２（ＢＪ１０）、フレームＢＪ１１、サブＬＣＤ用パッキンＢＪ１２、サブＬＣＤ保護パネルＢＪ１３、およびリアパネルテープＢＪ１４などが組み込まれている。
【００２３】
フロントケース５１とリアケ−ス５２とは、フロントケース５１の側から挿入されてネジ込まれた４つのネジ７１，７１…によって一体化されている。
【００２４】
送話器側ＳＧのプリント基板３１と受話器側ＪＧのプリント基板６２などとの間において、フレキシブルケーブルＢＳ４により種々の信号の送受信が行われる。フレキシブルケーブルＢＳ４は、ヒンジＨＪの内部空間を通って撓んだ状態で配設されており、ヒンジＨＪにおける屈曲に耐えるような屈曲耐性を有している。
【００２５】
次に、携帯電話機１の送話器側ＳＧの筐体ＫＴＳに設けられたネジ隠し装置ＮＳについて、図３ないし図１９を参照して説明する。
【００２６】
図３および図４に示すように、送話器側ＳＧのフロントケース１１とリアケ−ス１２とを一体化するために、４つの同じ形状のネジ４１が用いられている。ネジ４１として、例えば平頭ネジ、なべ頭ネジ、トラス頭ネジ、または皿頭ネジなどが用いられる。
〔ネジ隠し部材の説明〕
４つのネジ隠し部材４２，４２、４３，４３のうち、図４の上部に示される２つのネジ隠し部材４２，４２は、互いに同じものが用いられ、また図４の下部に示される２つのネジ隠し部材４３，４３も互いに同じものが用いられる。本明細書において、ネジ隠し部材４２を「第１のネジ隠し部材４２」と、ネジ隠し部材４３を「第２のネジ隠し部材４３」と、それぞれ記載することがある。
【００２７】
但し、２つのネジ隠し部材４２，４２は、取り付け時（挿入時）の回転角度位置が互いに異なるので、これを区別するために、図４における右側を「ネジ隠し部材４２ａ」、左側を「ネジ隠し部材４２ｂ」と記載することがある。また、他方の２つのネジ隠し部材４３，４３についても同様であり、図４における右側を「ネジ隠し部材４３ａ」、左側を「ネジ隠し部材４３ｂ」と記載することがある。
【００２８】
つまり、左側のネジ隠し部材４２ｂは、右側のネジ隠し部材４２ａを反時計回りに約９０度回転させた姿勢である。また、左側のネジ隠し部材４３ｂは、右側のネジ隠し部材４３ａを時計回りに約９０度回転させた姿勢である。
【００２９】
ネジ隠し部材４２とネジ隠し部材４３とは異なるものが用いられる。但し、これらはいずれも略円柱状であり、かつ直径が互いにほぼ等しい。これらは、リアケ−ス１２の表面に露出する外側の端面の曲面形状が互いに異なっている。詳しくは後で説明する。
【００３０】
また、図５、図６、および図１４に示されるように、リアケ−ス１２には４つのネジ用穴２５，２５…と各ネジ用穴２５に続く４つのネジ隠し穴２６ａ，２６ｂ、２７ａ，２７ｂが形成されている。４つのネジ用穴２５は互いに同じ単純な円形状であるが、４つのネジ隠し穴２６ａ，２６ｂ、２７ａ，２７ｂは形状が互いに異なる。
【００３１】
すなわち、リアケ−ス１２の上部に設けられたネジ隠し穴２６ａ，２６ｂには、同じネジ隠し部材４２ａ，４２ｂが嵌め込まれるので、これらは互いに同じ形状である。しかし、ネジ隠し部材４２ａ，４２ｂの回転角度位置が互いに異なるので、ネジ隠し穴２６ａ，２６ｂもそれに対応して回転角度位置が異なるように形成されている。
【００３２】
同様に、リアケ−ス１２の下部に設けられたネジ隠し穴２７ａ，２７ｂには、同じネジ隠し部材４３ａ，４３ｂが嵌め込まれるので、これらは互いに同じ形状である。しかし、ネジ隠し部材４３ａ，４３ｂの回転角度位置が互いに異なるので、ネジ隠し穴２７ａ，２７ｂもそれに対応して回転角度位置が異なるように形成されている。
【００３３】
つまり、図５に示すように、ネジ隠し穴２６ａ，２６ｂの回転角度位置を示す中心線ＴＳ１は、一方のネジ隠し穴２６ａにおいては筐体ＫＴＳの中心線に平行な線ＨＳに対して時計回り方向に角度α１だけ回転しているのに対し、他方のネジ隠し穴２６ｂにおいては線ＨＳに対して反時計回り方向に角度α１だけ回転している。本実施形態において、角度α１は約４５度である。
【００３４】
また、図６に示すように、ネジ隠し穴２７ａ，２７ｂの回転角度位置を示す中心線ＴＳ２は、一方のネジ隠し穴２７ａにおいては線ＨＳに対して反時計回り方向に角度α２だけ回転しているのに対し、他方のネジ隠し穴２７ｂにおいては線ＨＳに対して時計回り方向に角度α２だけ回転している。本実施形態において、角度α２は約４５度である。
【００３５】
４つのネジ用穴２５には、４つのネジ４１が挿入され、フロントケース１１に設けられたナット部材に螺子込まれる。ネジ４１が螺子込まれた後に、４つのネジ隠し穴２６ａ，２６ｂ、２７ａ，２７ｂに、ネジ隠し部材４２ａ，４２ｂ、４３ａ，４３ｂが挿入される。ネジ隠し部材４２，４３は、ＡＢＳ樹脂などの合成樹脂の成形によって製作される。
【００３６】
図８、図１０、図１１において、ネジ隠し部材４２は、内側の端面２０１、外側の端面２０２、および外周面２０３を有する略円柱状である。内側の端面２０１には、第１の凸部２０４および第１の位置決め凹部２０５が設けられる。図１０によく表れているように、内側の端面２０１は、平面状であり、その表面に粘着テープ２０８が貼り付けられる。外側の端面２０２は、リアケ−ス１２の外表面の形状（フォルム）に沿った曲面形状であり、ネジ隠し部材４２をネジ隠し穴２６ａ，２６ｂに嵌め込んだときにリアケ−ス１２の表面と調和して段差のない滑らかな表面となる。
【００３７】
第１の凸部２０４は、端面２０１から突出し、正面視つまり内側の端面２０１を正面としたときの形状は三角形状である。第１の位置決め凹部２０５は、第１の凸部２０４に隣接し、外周面２０３の一部に開口するように設けられる。端面２０１以外の表面には塗装が施されている。
【００３８】
図９、図１２、図１３において、ネジ隠し部材４３は、内側の端面２２１、外側の端面２２２、および外周面２２３を有する略円柱状である。内側の端面２２１には、第２の凹部２２４および第２の位置決め凹部２２５が設けられる。図１２によく表れているように、内側の端面２２１は、平面状であり、その表面に粘着テープ２２８が貼り付けられる。外側の端面２２２は、リアケ−ス１２の外表面の形状に沿った曲面形状であり、ネジ隠し部材４３をネジ隠し穴２７ａ，２７ｂに嵌め込んだときにリアケ−ス１２の表面と調和して段差のない滑らかな表面となる。
【００３９】
第２の凹部２２４および第２の位置決め凹部２２５は、互いにほぼ同じ形状であり、正面視つまり内側の端面２２１を正面としたときの形状は矩形である。第２の凹部２２４と第２の位置決め凹部２２５とは、正面視で互いに１２０度程度の回転角度を持って形成されている。
【００４０】
ネジ隠し部材４３の第２の凹部２２４および第２の位置決め凹部２２５の幅寸法（周方向の長さ）は、ネジ隠し部材４２の第１の位置決め凹部２０５の幅寸法よりも小さい。また、ネジ隠し部材４３の第２の凹部２２４および第２の位置決め凹部２２５の深さ（半径方向の長さ）は、ネジ隠し部材４２の第１の位置決め凹部２０５の深さよりも大きい。
【００４１】
したがって、後で述べる第１の位置決め凸部２４３は、第１の位置決め凹部２０５には嵌入するが、第２の凹部２２４および第２の位置決め凹部２２５には嵌入しない。また、後で述べる第２の凸部２６２および第２の位置決め凸部２６３は、第２の凹部２２４および第２の位置決め凹部２２５には嵌入するが、第１の位置決め凹部２０５には嵌入しない。
【００４２】
なお、ネジ隠し部材４３において、端面２２１以外の表面には塗装が施されている。
【００４３】
図１０（Ａ）と図１２（Ａ）とを比較するとよく分かるように、ネジ隠し部材４２の外側の端面２０２は、ネジ隠し部材４３の外側の端面２２２よりも傾斜が急であり、または曲面の曲率半径が小さく、その分だけ外周面２０３の一部の長さ（厚さ）が小さくなっている。なお、ネジ隠し部材４２，４３には、各所に適当な面取りが施されている。また、ネジ隠し部材４２，４３には、内側の端面２０１、２２１の中央に、成形時におけるひけ防止用の穴２０９、２２９が設けられている。
〔ネジ隠し穴の説明〕
図７はネジ隠し装置ＮＳの断面を示す図であり、図７（Ａ）は図５におけるＣ−Ｃ線断面矢視図、図７（Ｂ）は図６におけるＤ−Ｄ線断面矢視図である。
【００４４】
図５および図７（Ａ）において、ネジ隠し穴２６ａ，２６ｂは、全体として円柱状である。ネジ隠し穴２６ａ，２６ｂには、ネジ４１の頭部が嵌まり込むための頭部穴２４１、ネジ隠し部材４２の第１の凸部２０４が嵌まり込む第１の凹部２４２、および、ネジ隠し部材４２の第１の位置決め凹部２０５に嵌まり込む第１の位置決め凸部２４３が設けられている。
【００４５】
ネジ隠し穴２６ａ，２６ｂにおいて、ネジ用穴２５は偏心位置に設けられており、頭部穴２４１はネジ用穴２５と同心状に設けられている。頭部穴２４１の周囲の部分はランド部２４４となっており、その表面は、ネジ４１を挿入したときの頭部の表面とほぼ同じ高さ位置である。したがって、ネジ隠し部材４２をネジ隠し穴２６ａ，２６ｂに挿入したときに、ネジ隠し部材４２の粘着テープ２０８がランド部２４４およびネジ４１の頭部に接して粘着し、これによりネジ隠し部材４２が固定される。
【００４６】
ネジ隠し穴２６ａ，２６ｂにネジ隠し部材４２を挿入した状態では、第１の凸部２０４が第１の凹部２４２に、第１の位置決め凸部２４３が第１の位置決め凹部２０５に、それぞれ嵌まり込むことにより、ネジ隠し部材４２の回転方向（周方向）の位置決めが行われる。もし、ネジ隠し部材４２の回転方向の位置が合っていなかった場合には、第１の凸部２０４と第１の凹部２４２、第１の位置決め凸部２４３と第１の位置決め凹部２０５が、それぞれ嵌合しないので、ネジ隠し部材４２はその分だけリアケ−ス１２の表面から突出することとなる。したがって、その場合に、位置が合っていないことが、ネジ隠し部材４２をネジ隠し穴２６ａ，２６ｂに挿入する作業者が指の感触で知ることができる。
【００４７】
また、ネジ隠し穴２６ａ，２６ｂに誤ってネジ隠し部材４３を挿入しようとした場合に、第１の位置決め凸部２４３が第２の凹部２２４または第２の位置決め凹部２２５に嵌入しないので、ネジ隠し部材４３はその分だけリアケ−ス１２の表面から突出することとなる。したがって、この場合にも、ネジ隠し穴２６ａ，２６ｂに誤ってネジ隠し部材４３が挿入されたことを、作業者が指の感触で知ることができる。
【００４８】
図６および図７（Ｂ）において、ネジ隠し穴２７ａ，２７ｂは、全体として円柱状である。ネジ隠し穴２７ａ，２７ｂには、ネジ４１の頭部が嵌まり込むための頭部穴２６１、ネジ隠し部材４３の第２の凹部２２４および第２の位置決め凹部２２５にそれぞれ嵌まり込む第２の凸部２６２および第２の位置決め凸部２６３が設けられている。
【００４９】
ネジ隠し穴２７ａ，２７ｂにおいて、ネジ用穴２５は偏心位置に設けられており、頭部穴２６１はネジ用穴２５と同心状に設けられている。頭部穴２６１の周囲の部分はランド部２６４となっており、その表面は、ネジ４１を挿入したときの頭部の表面とほぼ同じ高さ位置である。したがって、ネジ隠し部材４３をネジ隠し穴２７ａ，２７ｂに挿入したときに、ネジ隠し部材４３の粘着テープ２２８がランド部２６４およびネジ４１の頭部に接して粘着し、これによりネジ隠し部材４３が固定される。
【００５０】
ネジ隠し穴２７ａ，２７ｂにネジ隠し部材４３を挿入した状態では、第２の凸部２６２が第２の凹部２２４に、第２の位置決め凸部２６３が第２の位置決め凹部２２５に、それぞれ嵌まり込むことにより、ネジ隠し部材４３の回転方向（周方向）の位置決めが行われる。もし、ネジ隠し部材４３の回転方向の位置が合っていなかった場合には、第２の凸部２６２と第２の凹部２２４、第２の位置決め凸部２６３と第２の位置決め凹部２２５が、それぞれ嵌合しないので、ネジ隠し部材４３はその分だけリアケ−ス１２の表面から突出することとなる。したがって、その場合に、位置が合っていないことが、ネジ隠し部材４３をネジ隠し穴２７ａ，２７ｂに挿入する作業者が指の感触で知ることができる。
【００５１】
また、ネジ隠し穴２７ａ，２７ｂに誤ってネジ隠し部材４２を挿入しようとした場合に、第２の凸部２６２および第２の位置決め凸部２６３が第１の位置決め凹部２０５に嵌入しないので、ネジ隠し部材４２はその分だけリアケ−ス１２の表面から突出することとなる。したがって、この場合にも、ネジ隠し穴２７ａ，２７ｂに誤ってネジ隠し部材４２が挿入されたことを、作業者が指の感触で知ることができる。
【００５２】
図１４〜図１９に示すように、４つのネジ隠し穴２６ａ，２６ｂ、２７ａ，２７ｂに、４つのネジ隠し部材４２ａ，４２ｂ、４３ａ，４３ｂが、それぞれ正規の位置に挿入され、位置合わせが行われる。ネジ隠し部材４２ａ，４２ｂ、４３ａ，４３ｂを挿入した状態でしばらく押しつけておくことにより、それぞれに設けられた粘着テープ２０８，２２８がランド部２４４、２６４などに粘着して固定される。
【００５３】
上に述べたように、本実施形態によると、リアケ−ス１２はその正面視が略矩形であり、その四隅の表面は滑らかな曲面形状に形成され、かつその表面形状はその長手方向に沿って延びる中心線に対して左右対称形状となっている。そして、ネジ隠し穴２６ａ，２６ｂは、リアケ−ス１２の一方の短辺側（上辺側）において、２つの隅部に左右対称位置に設けられる。ネジ隠し穴２７ａ，２７ｂは、リアケ−ス１２の他方の短辺側（下辺側）において、２つの隅部に左右対称位置に設けられる。
【００５４】
２つのネジ隠し部材４２ａ，４２ｂは、互いに左右対称となる姿勢で２つのネジ隠し穴２６ａ，２６ｂに挿入されており、２つのネジ隠し部材４３ａ，４３ｂは、互いに左右対称となる姿勢で２つのネジ隠し穴２７ａ，２７ｂに挿入されている。
【００５５】
このように、２つのネジ隠し部材４２ａ，４２ｂ、および２つのネジ隠し部材４３ａ，４３ｂについて、それぞれ共通化が図られており、それだけ部品点数が少なくなり、部品管理および組み立てが容易である。
【００５６】
また、ネジ隠し部材４２ａ，４２ｂ、４３ａ，４３ｂについて、その挿入位置を間違わないように形状が工夫されているので、組み立てが容易となり生産性が向上する。
【００５７】
しかも、２種類のネジ隠し部材４２、４３を、リアケ−ス１２の表面上の位置によって異なる曲面形状に合わせて製作することができ、携帯電話機１のデザイン性の向上を図ることができる。
【００５８】
上に述べた実施形態において、リアケ−ス１２とフロントケース１１とを４つのネジ４１で結合する場合について説明したが、２つ、３つ、または５つ以上のネジ４１で結合するようにしてもよい。同じネジではなく、寸法形状が互いに異なるネジを用いることも可能である。同様に、４つのネジ用穴２５を互いに同じ形状寸法としたが、互いに異なる形状寸法としてもよい。左右のネジ隠し穴２６ａ，２６ｂ、および左右のネジ隠し穴２７ａ，２７ｂについて、互いに約９０度回転させた状態としたが、９０度以外の角度としてもよい。また、回転させることなく、同じ状態のネジ隠し穴２６ａ，２６ｂ、またはネジ隠し穴２７ａ，２７ｂを設けてもよい。
【００５９】
ネジ隠し部材４２，４３に設けた第１の凸部２０４、第１の位置決め凹部２０５、第２の凹部２２４、および第２の位置決め凹部２２５の形状寸法または位置は、上に述べた以外の種々のものとすることが可能である。また、これに応じて、第１の凹部２４２、第１の位置決め凸部２４３、第２の凸部２６２、および第２の位置決め凸部２６３の形状寸法および位置を変更すればよい。
【００６０】
上に述べた実施形態において、フロントケース１１およびリアケ−ス１２の形状は、上に述べた以外の種々の形状であってもよい。例えば、フロントケース１１およびリアケ−ス１２が平板状のものであってもよい。これらの正面視の形状は、矩形状、卵形状、楕円形状、長円形状、多角形状、その他の種々の形状であってもよい。フロントケース１１とリアケ−ス１２との間に他の部材が介在する構造であってもよい。
【００６１】
上に述べた実施形態においては、リアケ−ス１２の側にネジ隠し穴２６ａ，２６ｂ、２７ａ，２７ｂを設けたが、フロントケース１１の側にネジ隠し穴を設けてネジ隠し部材を挿入してもよい。
【００６２】
上に述べた実施形態において、フロントケース１１、リアケ−ス１２、ネジ用穴２５、ネジ隠し穴２６ａ，２６ｂ、２７ａ，２７ｂ、ネジ隠し部材４２，４３、ネジ隠し装置ＮＳ、携帯電話機１の全体または各部の構成、構造、形状、寸法、成形方法、製作方法、配置、個数、材質、位置などは、上に述べた以外に種々変更することができる。
【００６３】
上に述べた例では折り畳み式の携帯電話機１について説明したが、折り畳み式でない携帯電話機、携帯電話機以外の種々の携帯端末機、固定の電話機、通信機器、コンピュータ機器、ゲーム機器、その他の電子機器などにも、本発明を適用することができる。
【符号の説明】
【００６４】
１  携帯電話機
１２  リアケ−ス（筐体）
２５  ネジ用穴（第１のネジ用穴、第２のネジ用穴）
２６ａ，２６ｂ  ネジ隠し穴（第１のネジ隠し穴）
２７ａ，２７ｂ  ネジ隠し穴（第２のネジ隠し穴）
４１  ネジ
４２  ネジ隠し部材（第１のネジ隠し部材）
４３  ネジ隠し部材（第２のネジ隠し部材）
２０１  内側の端面
２０４  第１の凸部
２０５  第１の位置決め凹部
２２１  内側の端面
２２４  第２の凹部
２２５  第２の位置決め凹部
２４２  第１の凹部
２４３  第１の位置決め凸部
２６２  第２の凸部
２６３  第２の位置決め凸部
ＮＳ  ネジ隠し装置
ＫＴＳ  筐体
【図１】
2010187313.tif 000003
【図２】
2010187313.tif 000004
【図３】
2010187313.tif 000005
【図４】
2010187313.tif 000006
【図５】
2010187313.tif 000007
【図６】
2010187313.tif 000008
【図７】
2010187313.tif 000009
【図８】
2010187313.tif 000010
【図９】
2010187313.tif 000011
【図１０】
2010187313.tif 000012
【図１１】
2010187313.tif 000013
【図１２】
2010187313.tif 000014
【図１３】
2010187313.tif 000015
【図１４】
2010187313.tif 000016
【図１５】
2010187313.tif 000017
【図１６】
2010187313.tif 000018
【図１７】
2010187313.tif 000019
【図１８】
2010187313.tif 000020
【図１９】
2010187313.tif 000021